(57)【要約】      （修正有）【課題】一般に、在宅や施設などではまだ、ベット上で仰臥位の患者を縦方向や横方向に移動させるときに生じる摩擦の問題が未解決であり、患者自身の力で移動することが出来ず、介護者が移動の介護中に腰を痛めやすい。ベットから車椅子への移動や、ベットから他のベットへの移動ができる人体移送装置を提供する。【解決手段】板材の下面に、複数の極小の球体６を回転可能に固定させた患者を乗せる上板２と、該上板とほぼ同寸法の基板１ａ１と、該基板の一部に丁番９を介して連結された誘導板１ａ２とからなる基底板と、該基底板の上面に設けた前記極小の球体を誘導するガイドレールと、前記上板と前記基底板の両側部に設けた一対の仮固定手段とからなる前記基底板上を前記上板が移動可能とする。また板材を薄型にし、上板の周囲を滑やかに湾曲させた。【選択図】図２
2006136622.tif 000002
【特許請求の範囲】
【請求項１】
板材の下面に、複数の極小の球体を回転可能に固定させた、患者を乗せる上板と、該上板とほぼ同寸法の基板と、該基板の一部に丁番を介して連結された誘導板とからなる基底板と、該基底板の上面に設けた前記極小の球体を誘導するガイドレールと、前記上板と前記基底板の両側部に設けた一対の仮固定手段とからなる、前記基底板上を前記上板が移動可能としたことを特徴とする人体移送装置。
【請求項２】
請求項１記載の人体移送装置において、前記上板の周囲を下方に滑やかに湾曲させたことを特徴とする人体移送装置。
【発明の詳細な説明】
【技術分野】
【０００１】
本発明は、患者が移動するときや、介護者が介護する時の移送に利用できる介護に用いる器具である。
【背景技術】
【０００２】
従来の技術として、布団上の仰臥位の患者を縦方向移送や横方向移送させる為に開発されたものに患者の体の下に敷設して使う二重のシートや円筒状の布で内面を滑りやすくした移動・移乗・体位変換用スライドシートがある（例えば、非特許文献１  Ｐ．１３−１参照）。
【０００３】
その他、ベットから車椅子への移乗に患者をスライドさせて移動させるボードがある。（例えば、非特許文献１  Ｐ．１２−２参照）
【０００４】
また患者を横移送する為に、ベット本体にローラーや車輪を組み込んで、布団ごと患者を横方向移動させるベット移送装置（例えば、特許文献１参照）等も多種多様に開発されている。
【非特許文献１】「ホームヘルスケア  介護保険対応・福祉用具販売カタログ」株式会社  有薗製作所  ２００４年度版（通算１０号）,Ｐ.１２−２ Ｐ.１３−１
【特許文献１】実開平７−２２７２８号  公報
【発明の開示】
【発明が解決しようとする課題】
【０００５】
一般に寝たきり患者で介護を必要とする人のおむつ交換や体位変換やギャッチベット背面の上げ下ろしで、患者の体がすこしずつ下方にずれ下がり易い。そこで下がった体を上方に移動させる為に、例えばベット上での移動では、在宅や施設や病院においては、介護者数人で患者の下に敷いた布等を抱えて上方移動させるか、一人で抱えて上方に移動させている。これらの移動介護は毎日、頻回に行われていて、さらに患者の側面からの介助となる為、腰へ負担がかかり易く、わずかな摩擦でも介護者にとっては、過重な介護負担を強いられ、腰を痛める者が多い。また体の大きな患者を横方向に移動させるときも同様で、介護の回数が多く、介護者が腰を曲げて介護する為、腰への負担が大きい。このように、患者を縦方向移動や横方向移動させるときに生じる摩擦の問題を解決するために、上記の非特許文献１Ｐ.１３−１に記載された移動・体位変換マット等が開発されたが、摩擦の解消がまだ不十分で、介護者が腰を痛め易く、患者自身の力で移動することも出来ない。つまり寝たきりの患者を縦方向に移動させる場合に用いる器具のほとんどに摩擦が見られる。またベット上で縦方向に移動させる発明品の数が少ない。
【０００６】
さらに、ベットから車椅子への移動は、非特許文献１Ｐ.１２−２に記載された、表面を滑りやすくして患者を移動させるMTSボード等があるが、患者の体重が臀部に集中  する為摩擦の抵抗が大きく、この商品での横移動では上記と同様に摩擦の解消が不十分で、体が大きい患者が自力で移動することも、疾患の重い患者を介護しながら移動させることも困難である。
【０００７】
また患者を、ベットから他のベットへ移送させる為に、上記特許文献１には、患者移送装置機能を有するベット及びストレッチャーが記載されているが、全介助を必要とする患者のみが利用の対象となり、他の寝台へ、患者と布団とを一緒に横方向移送するため、ベット内の布団上で患者の体のみを縦・横移動することは出来ず、日常の介護の利用には活用できない。さらにベット台、ストレッチャー台車、マットパレット及びレールの構成からなる為、使用場所が特定され、構成が複雑で高価となり、一般の在宅や施設での利用は難しい。
【０００８】
本発明の人体移送装置は、これら上記欠点を解消することを目的とする。
【課題を解決するための手段】
【０００９】
本発明は、板材の下面に、複数の極小の球体を回転可能に固定させた患者を乗せる上板と、該上板とほぼ同寸法の基板と、該基板の一部に丁番を介して連結された誘導板からなる基底板と、該基底板の上面に設けた前記極小の球体を誘導するガイドレールと、前記上板と前記基底板の両側部に設けた一対の仮固定手段とからなる、前記基底板上を前記上板が移動可能とした人体移送装置に係る。
【００１０】
また、本発明の板材を薄型にし、上板の周囲を下方に滑やかに湾曲させるとよい。
【発明の効果】
【００１１】
以上の説明から明らかな如く、本発明は従来の問題を解決する為に、患者を乗せて移動する板材の下面に複数の極小の球体を用いて、基底板上を移動可能にした事で、患者を移動させるときに生じる摩擦を最小限とすることができた。さらに患者自身の力で操作することも可能とし、患者が自立の達成感を得る事が出来る。また基板に移動場所にあわせた距離の誘導板を繋げ、その基底板上に極小の球体を案内するガイドレールを設けた事により、上板を目的の位置まで移動可能にし、上板と基底板の両側部に一対の仮固定手段を設けてこれらを一体で使用可能とした事で、常にガイドレールの付いた基底板上を極小の球体が回転して上板を移動させられるようになった。その結果、患者の移動場所が限定されなくなり、布団上での縦方向の移動での使用が可能となった。また本発明の寸法を変える事で、利用条件の範囲が広がり、ベット上での横方向の移動や、ベットから車椅子や他のベットへの横方向の移動での使用も可能となった。また折り畳み可能にした事で持ち運びが便利となり、さらに構造を簡単にした事で低コストとなり購入しやすい等、さまざまな利点があり、在宅や施設などでの広範囲での利用を提供できる。
【００１２】
また本発明で、板材を薄型にし、上板の周りを滑やかに湾曲させ、さらに極小の球体を利用する事で全体としてはコンパクトで薄型・軽量となり、より患者の体の下に安全に敷設しやすくなった。
【発明を実施するための最良の形態】
【００１３】
以下、本発明の実施形態の実施例となる、図１〜図１０に基づいて説明する。図１は本発明の実施例を示す平面図と上板の移動方向を示す図、図２は図１のA−A線による拡大断面図、図３は図１のB−B線による拡大断面図、図４は上板の内面図、図５は基底板の内面図、図６は上板と基底板を噛み合わせてセットしている過程の側面図、図７は、寸法を変えた本発明の本実施例を示す平面図と移動方向を示す図、図８は極小の球体と支軸の拡大断面図、図９は患者をベットから車椅子へ移動している過程の斜視図、図１０は患者をベットから他のベットへ移動する側面図である。
【００１４】
以下、本発明について、まず図４に示す板材の下面に複数の極小の球体６を回転可能に固定させた、患者を乗せる上板２についての説明をする。前記上板２の素材は、軽量で体重がかかっても容易に折れない剛性の素材が好ましい。本実施例では上板２の素材にはポリエチレンを使用したが、他にプラスチックやポリプロピレン等も使用できる。極小の球体６においても、素材は軽量で耐久性にすぐれたものが適していて、本実施例で使用する極小の球体６はアルミ製とする。図８の極小の球体６の拡大断面図に示すように、この極小の球体６は中心に貫通するように穴８があいている。この穴８に支軸７を通し複数の極小の球体６を一連に繋ぐ。図４に示すように、この前記一連の極小の球体６を板材の下面に設置された両端部の枠材３−１とそれに平行に設置された端桟材４−１と桟材４の間に等間隔に設置し、両側部の枠材３-２に極小の球体６を通した支軸７の両端を接着剤やネジで固定させる。さらに上板２の周囲は下方に滑やかに湾曲させて乗降しやすくさせる。
【００１５】
次に上記上板２の寸法を説明する。上板２の厚みは薄いほど好ましく、広さは患者の体の移乗時に摩擦する面を載せられる範囲の大きさが好ましく、標準体型の女性であれば、例えば厚さを１mmから４mmとし、寸法は１００４mmｘ４２４mm程度とする。
【００１６】
次に、極小の球体６を取り付けるために、本実施例では、上板２の下面に両端部の枠材３−１と、両側部から２０mmほど入った所の両側部の枠材３−２を上板の下面の四隅を囲むように取り付け、さらにその両端部の枠材３−１に平行にそれぞれ端桟材４−１を取り付けるが、その両端部の枠材３−１と端桟材４-１の間には極小の球体６を回転可能に設置する為、極小の球体６の直径より１mm程大きな空間を設ける。後は複数の桟材４を前記端桟材４-１の間に２本ずつ等間隔にとりつける。前記２本ずつの桟材４は、この２本の間に上記同様に極小の球体６を回転可能に設置する為、極小の球体６の直径より１mm程大きな空間を設ける。この時使用する桟材４は全部で６本から３０本くらい取り付ける。枠材３の太さは、幅２mm程で、高さは極小の球体６や可動輪等の大きさによって異なるが、例えば直径３mmの極小の球体６を使用すれば上板２の両端部の枠材３−１、両側部の枠材３−２、端桟材４−１、桟材４の高さを１・８mmとする。両側部の枠材３−２の長さは上板の縦が１００４mmであれば１０００mm、両端部の枠材３−１の長さは上板の横寸法が４２８mmであれば３７６mm程とする。また端桟材４−１や桟材４の寸法は両端部の枠材３-１の寸法と同寸とする。前記両端部の枠材３−１や両側部の枠材３−２及び桟材４と端桟材４−１の素材は上板２と同質とし、上板２の下面に一体成形してもよい。
【００１７】
極小の球体６は、直径２mmから２０mmの範囲であり、その中心部の極小の球体の穴８は直径０・２mmから５mmで形成されている。そしてその極少の球体６を複数繋げた支軸７の長さは、桟材４の長さと同寸法とする。極小の球体６の全体の使用個数は１０００個から６０００個くらいである。なお本発明において、極小の球体６に変えてキャスターや筒状の車輪等の可動輪を使用する場合は、可動輪の寸法が大きくなる為、使用個数の範囲を１０個から１００個程度とする。
【００１８】
なお上板２の両側部は、図３で示すように上板２の先端を下方にカーブさせながら曲げて、その先端をさらに内側に曲げて仮固定手段２ｃとした。その寸法は、カーブさせる寸法を１２mm程とし、角度は４５度方向で、その先端をさらに４mm程度内側に曲げた。また図２に示す如く、上板２の両端部の一方側２ｂ−１と両端部他方側２ｂ−２は両先端部を２mm程度突出させ、下方に４５度方向にカーブさせた。
【００１９】
次に図５に示す基底板１について説明する。基底板１は基板１a１と、その基板１a１の一部に丁番９を介して連結された誘導板１a２とからなる。さらに前記極小の球体６を誘導するガイドレール５がその基底板１上に設けられている。また基底板１の両側部には上板の仮固定手段２ｃと一対となる基底板の仮固定手段１ｃが設けられている。基底板１の素材は上板２と同質とし、ガイドレール５は、基底板１の上面に上板１と同質の素材で一体に形成するのが好ましいが、その他に金属やプラスチック等の素材を別に固定させてもよい。
【００２０】
次に基底板１の寸法について説明する。基底板１の厚みは上板２と同寸とする。前記基板１a１の寸法は、上板２よりも少し小さめで例えば１００２mmｘ４１０mm程とし、誘導板１a２の寸法の横幅は基板１a１と同寸で縦幅は、移動距離で決められる。例えばベット１１内での移動の場合は２００mm程が好ましく、図１２に示すベット１１から車椅子１２や他のベット１３への移動では４００mm程が好ましい。本実施例では縦幅は２００mmとした。図２や図６で示すように、丁番９は基板１a１と誘導板１a２とを、２箇所で接合している。また前記丁番９を固定せず、なお誘導板１a２が取替えて使用できるように丁番９を着脱可能な構成としても良い
【００２１】
図２に示すように、極小の球体６を基底板１から落下させないように、この基底板の両端部１ｂには、立ち上げが２mm設けられている。さらに基底板１の前記立ち上げの内側に仮に幅２mmｘ高さ２mmの太さで横の長さを３７６mmとした両端部の枠材３−１を基底板の両側部１bに平行平行取り付け、基底板１の立ち上げを補強する。また、図３や図５に示すように両側部には基底板の仮固定手段１ｃが設けられている。基底板の仮固定手段１ｃは、先端を５mm程立ち上げ、その先端をさらに外側に３mm程９０度に曲げる。このとき基底板の仮固定手段１ｃと上板の仮固定手段２ｂとの間に１〜２mmの隙間を設ける。
【００２２】
次に、図３や図５や図８に示すように基底板１の上面には、上板２の極小の球体６を誘導するガイドレール５が設けられている。位置は、上板に取り付けられた一連の極小の球体６のその両端の極小の球体６に沿わせて、基底板１の上に両側部から一連の極小の球体６を挟む形でガイドレール５を設置する。このとき基底板の仮固定手段１ｃと上板の仮固定手段２ｃの摩擦を防ぐ為、極小の球体６とレール５によって、基底板１と上板２の位置を横方向にずれないようにし、上記、基底板の仮固定手段１ｃと上板の仮固定手段２ｃとの間の２mmの隙間を保持させることで、上板２が基底板１の上を移動する時に起きる摩擦を少なくする。前記レール５の寸法は幅３mmｘ高さ１mmで長さは基板１a１と誘導板１a２の長さを合わせた１２００mm程とする。  
【００２３】
その他、上板２の仮固定手段２ｃや上板の両端部の一方側２ｂ−１と上板の両側部の他方側２ｂ−２は、本発明の人体移送装置の寸法を変えて横方向の移動に使用するときの乗降位置で、患者の背面に介入させ易くする為、上板の両側部の一方側２ｂ−１と上板の両端部の他方側２ｂ−２と長さ方向の上板の仮固定手段２ｃを下方にカーブさせる。
【００２４】
この人体移送装置を、図1の矢印で示すように縦方向の移動で利用する他、図９で示すように上板の横幅の寸法を車椅子１２の座面より小さい寸法で例えば２５mmから３５mm程とし、縦幅の寸法を患者の臀部の幅と同寸法にし、誘導板を上板と同じ長さにすることで、座位のまま、ベット１１から車椅子１２への移乗に利用できる。また、ベット内で仰臥位の体格のよい患者等を横方向の移送に介護者が利用する場合は、本発明の寸法と比べて、図７に示すように上板の横幅の寸法を２〜３倍とし縦幅の寸法を半分にすることで、患者をベット１１上での横方向の移動に利用出来るが、横方向の移動での利用方法は、寸法を変えた本実施例を９０度回転させ、横移動する方向に誘導板１a２を配置して使用する。図１０に示すように、ベット１１から他のベット１３への横方向の移送には、上板２は前記横方向移送の寸法と同寸法とするが、誘導板１a２の長さは基盤１a１と同寸法として利用する。なお極小の球体６と桟材４の数は、それぞれに合わせて増減する。
【００２５】
上板２を基底板１上に移動可能にセットする方法を説明する。図６で示すように、まず上板２を裏返しにして床に置き、さらに基底板１を裏返しにして、丁番９で９０度上側方向に誘導板１a２を折り曲げて、基板１a１側の開き口を開け、基板１a１の仮固定手段１ｃと上板２の仮固定手段２ｃを噛みあわせて連結が確認できたら、図の→方向に基板１a１を移動させる。上板２が基板１a１上に収まったら誘導板１a２を戻して基板と誘導板の継ぎ目１０を合わせて基底板１を平らにし、さらに本実施例を裏返して元に戻す。
【００２６】
また、使用後は基板と誘導板の継ぎ目１０を開いて、丁番９の部分から二つ折りにして収納できる。
【００２７】
次に、本発明の実施例に記載された人体移送装置の使用方法を説明する。この本発明の人体移送装置（以下本体という）の両側部を患者の乗降位置とし、まず介護人が布団上で仰臥位の患者の体を側臥位にし、本体を患者の背中側に敷設し、患者の体を仰臥位に戻すことで、患者の体が本体の上面に配置され、移動の体制を作る。
【００２８】
次いで、介護者が本体に患者の体を乗せた後、例えば、患者が健足を立てて布団等を蹴って上方に力を加えれば、極小の球体６が摩擦を防ぐため、患者のわずかな力だけで体を移動させることが出来る。これと同じく、健手を使って上記と同じ方法で体を上方に移動させることも出来る。
【００２９】
患者の体が上方に移動できたら、再び患者の体を側臥位にして、患者の下から本体を取り除き、体を仰臥位にする。
【００３０】
図９に示すように、ベット１１から車椅子１２へ移動する方法は、基板１a１はベット１１上で、誘導板１a２は車椅子１２上に配置の準備し、患者の体を傾けて、図１に示す本体の上板２の両端部の一方側２b―１より患者の臀部の下に介入させ敷設する。移動方法は患者は車椅子１２の一部か基底板１の上に健手をおいて体を引き寄せるか、介護者が軽く車椅子１２の方向に患者を押して誘導板１a２上に移動させる。本体を体の下から取り除く時は、本体の上板２の両端部の他方側２b―２から、患者の体を傾けて取り除き患者をおろす。
【００３１】
また、ベット１１内での横方向移動や、図１０に示すようにベット１１から他のベット１３への横方向移動では、本体を敷設する方向は上記の車椅子１２への乗降方法と同じとする。また、移動方法は患者の健手で、布団の上面や上板２が移動後の基板上１a１の上面を押しやりながら本体を移動させるか、介護者が軽く→方向に押して移動させ、他のベット１３の誘導板上１a２に移動させる。
【図面の簡単な説明】
【００３２】
【図１】本発明の実施例を示す平面図と上板の移動方向を示す図
【図２】図１のA−A線による拡大断面図
【図３】図１のB−B線による拡大断面図
【図４】上板の内面図
【図５】基底板の内面図
【図６】上板と基底板を噛み合わせてセットしている過程の側面図
【図７】寸法を変えた本発明の実施例を示す平面図と移動方向を示す図
【図８】極小の球体と支軸の拡大断面図
【図９】患者をベットから車椅子へ移動している状態の斜視図
【図１０】患者をベットから他のベットへ移動する側面図
【符号の説明】
【００３３】
１  基底板  
１a１  基板  
１a２  誘導板
１ｃ  基底板の仮固定手段
１b  基底板の両端部  
２  上板  
２c  上板の仮固定手段
２b−１  両端部の一方側
２b−２  両端部の他方側  
３−１  両端部の枠材
３−２  両側部の枠材
４  桟材
４−１  端桟材  
５  ガイドレール  
６  極小の球体    
７  支軸
８  穴  
９  丁番  
１０  基板と誘導板の繋ぎ目
１１  ベット
１２  車椅子
１３  他のベット          
【図１】
2006136622.tif 000003
【図２】
2006136622.tif 000004
【図３】
2006136622.tif 000005
【図４】
2006136622.tif 000006
【図５】
2006136622.tif 000007
【図６】
2006136622.tif 000008
【図７】
2006136622.tif 000009
【図８】
2006136622.tif 000010
【図９】
2006136622.tif 000011
【図１０】
2006136622.tif 000012